(57)【特許請求の範囲】
【請求項１】
施療子に回転軸の回転に基いてもみ動作をおこなわせるマッサージ機において、回転軸を支持する軸受は管体にて形成され、軸受には、直径方向の一側方に角型の回転止めリブが延出され、回転止めリブの基端部に挟持用段部が形成され、更に、軸受には、スラスト方向に移動阻止用リブが形成され、移動阻止用リブにスリットが形成され、モータを備えているモータ側のケーシングに軸受の外面に当接又は近接する係合孔を形成した保持脚が形成され、保持脚の先端に連結片が延出され、本体側のケーシングに軸受の外面に当接又は近接する係止孔を形成した保持片が形成され、保持片に連結片及び係止片が形成され、連結片同士が連結され、係止片がスリットに係入され、連結片と保持片を起立させている受片との間に回転止めリブが挟持されて両ケーシングの間に軸受を保持して成ることを特徴とするマッサージ機。
【発明の詳細な説明】
【０００１】
【発明の属する技術分野】
本発明は、施療子に回転軸の回転に基いてもみ動作をおこなわせるマッサージ機に関し、詳しくは、施療子にもみ動作を付与する回転軸の軸受の構成を簡素化しながら軸受の共回りを確実に防止し、それでいて、軸受の組込み作業を容易にしようとする技術に係るものである。
【０００２】
【従来の技術】
従来、施療子に回転軸の回転に基いてもみ動作をおこなわせるマッサージ機において、回転軸を回転自在に保持するのに際して、ベアリングが多く用いている。
【０００３】
ところで、このようにベアリングを用いる場合には、スラスト方向の位置決め、及び、インナーレース及びアウターレースの回転方向の固定をするための構造が複雑となり、又、ベアリングは大きい負荷に耐えるために金属製が殆どであって回転軸とは同材質となるのであり、組立性等を考慮してすきまばねにすると、組立て時に金属製とした回転軸との間で金属音が発生しやすいものである。
【０００４】
【発明が解決しようとする課題】
そこで、軸受を管状となる樹脂成形品として発音を防止するとともに構成を簡素化することが考えられ、おこなわれているが、管状の軸受が回転軸とともに容易に共回りすることから外周全面を受ける必要があり、管状とした軸受の回止めする構成が複雑となるものである。
【０００５】
本発明はこのような問題に鑑みてなされたものであり、施療子にもみ動作を付与する回転軸の軸受の構成を簡素化しながら軸受の共回りを確実に防止し、それでいて、軸受の組込み作業を容易におこなえるマッサージ機を提供することを課題とするものである。
【０００６】
【課題を解決するための手段】
請求項１においては、施療子１に回転軸２の回転に基いてもみ動作をおこなわせるマッサージ機において、回転軸２を支持する軸受３は管体にて形成され、軸受３には、直径方向の一側方に角型の回転止めリブ４が延出され、回転止めリブ４の基端部に挟持用段部２４が形成され、更に、軸受３には、スラスト方向に移動阻止用リブ５が形成され、移動阻止用リブ５にスリット２８が形成され、モータ９を備えているモータ側のケーシング８に軸受３の外面に当接又は近接する係合孔２９を形成した保持脚３０が形成され、保持脚３０の先端に連結片３１が延出され、本体側のケーシング７に軸受３の外面に当接又は近接する係止孔３２を形成した保持片３３が形成され、保持片３３に連結片３４及び係止片３５が形成され、連結片３１、３４同士が連結され、係止片３５がスリット２８に係入され、連結片３１と保持片３３を起立させている受片３９との間に回転止めリブ４が挟持されて両ケーシング７、８の間に軸受３を保持して成ることを特徴とするものである。このような構成によれば、ケーシング７、８にて軸受３を挟持するときに、本体側のケーシング７の保持片３３の係止片３５が移動阻止用リブ５のスリット２８に挿入されて軸受３のスラスト方向の移動を阻止することができ、モータ側のケーシング８の保持脚３０の連結片３１と、本体側のケーシング７の保持片３３を起立させている受片３９との間に回転止めリブ４が挟持されて軸受３の回転止めをおこなうことができるのであり、スラスト方向の固定及び回転止めを確実におこなうことができる。
【０００８】
【発明の実施の形態】
以下、本発明の実施の形態を説明する。図１は部分分解斜視図、図２（ａ）は軸受の保持状態の側面図、同図（ｂ）は断面図、図３はマッサージ機の全体斜視図、図８は機構部を示す概略側面図である。
【０００９】
マッサージ機Ａは、例えば、リクライニング自在とされている椅子の背もたれ１５内に施療子１を組み込んだ周知（例えば、特公平２−４９７４１号）なものである。以下、施療子１の概略の動きを説明するが、施療子１の動きはこれに限定されるものではなく、施療子１によるマッサージ力を強弱をつける調整ができればよいものである。
【００１０】
図７乃至図８に示すように、モータ９によって主軸となる回転軸２を回転させた場合、回転軸２とともに回転する内輪１０が回転軸２に対して偏心かつ傾斜したものとなっていて、この内輪１０に遊転自在に装着されている外輪１１にアーム１２を介して取付けられた施療子１は、連結リンク１３によってアーム１２の動きに制限が加えられることもあって、回転軸２の回転に伴い、３次元的な運動をおこなうようにしている。このような動きを対称におこなう一対の施療子１，１は、使用者の背面において「ねりもみ」のマッサージをおこなう。このような「ねりもみ」の動きは周知であり、種々変更することができる。
【００１１】
アーム１２にボールジョイント１４を介して連結された連結リンク１３は、内輪１０の回転に伴って上下左右に振られ、連結リンク１３と回転用軸１６とはボールジョイントを構成する球体としての偏心部材１７で連結されて、上記施療子１の動作は円滑におこなわれるようになっている。
【００１２】
又、モータ９によってベルト伝動装置２３を介して送りねじ１８を回転させることで、送りナット１９を送り、リンク２０と回転板２２を介して補助軸２１のまわりに回転板２２の先端部の回転用軸１６を回転させて、回転軸２まわりの偏心部材１７の位置を変えることで、アーム１２及び外輪１１が内輪１０のまわりに回転し、施療子１は使用者の背面が位置する正面方向への突出量を変化させるのであり、しかして、回転軸２を回転させてマッサージを得るにあたり、施療子１を図８において最も突出させている時には強い「ねりもみ」のマッサージを、最も引込む位置にある時には、弱い「ねりもみ」のマッサージをおこなうようにしている。このように、マッサージの強さを調整することができるようにしている。
【００１３】
本発明は、例えば上記のような構成のマッサージ機Ａにおいて、主軸としての回転軸２を軸受３にて以下のように保持したものである。以下、詳述する。
【００１４】
図１及び図２に示すように、回転軸２を支持する軸受３を管体にて形成している。この軸受３には管体の外周壁の中心部において軸芯方向に挟持用段部２４を形成し、挟持用段部２４の一端部から上方に誘い込み用リブ６を構成する円弧状リブ２５を延出し、又、挟持用段部２４の他端部から下方に誘い込み用リブ６及び回転止めリブ４となる角型リブ２６を延出している。更に、角型リブ２６とは反対側の挟持用段部２４の端部から板面を回転軸２の軸心方向、つまり、スラスト方向にした移動阻止用リブ５を構成する垂下片２７を一体的に設けている。垂下片２７には下端に開先を形成したスリット２８が形成されている。このような軸受３はボリアセタール樹脂成形品（ジュラコン）であり、軸受３は、軸芯方向に分離される成形型にてアンダーカット部分が存在しないようにして成形されるものである。スリット２８は成形後に機械加工してもよく、又、軸芯とは直交する方向に第３型を抜くようにしてもよい。
【００１５】
更に、モータ９及び回転用軸１６等を備えているモータ側のケーシング８には、円弧状の係合孔２９を形成した保持脚３０が延出されて先端には連結片３１を延出している。回転軸２及び上記機構部を保持している本体側のケーシング７には円弧状の係止孔３２を形成した保持片３３が延出されて先端には連結片３４を延出している。
【００１６】
しかして、図１及び図２に示すように、回転軸２の外部に管体の軸受３を外装し、モータ９側のケーシング８の保持脚３０の係合孔２９の縁と、本体側のケーシング７の保持片３３の係止孔３２の縁とを管体の軸受３の外面に当接又は近接させる。
【００１７】
この場合、保持片３３側の係止片３５が垂下片２７の開先を形成しているスリット２８に容易に係入するのであり、しかして、連結片３１，３４が当接するのであり、連結片３１の孔３６に挿通したビス３７を連結片３４の孔３８にねじ込むことで、図２（ａ）に示すように、連結片３１と保持片３３を起立している受片３９との間に角型リブ２６を挟持し、又、図２（ｂ）に示すように、保持脚３０と係止片３５とで軸受３を挟持して、両ケーシング７，８の間に軸受３を保持するのである。
【００１８】
このように、回転軸２を支持する軸受３は管体となっていて、回転軸２を安定的に支持することができながら、管体となった軸受３に設けた回転止めリブ４をケーシング７，８間に挟持することで、軸受３の回転を阻止して保持することができ、軸受３を保持するための構成を簡素化できながら回転止めを確実におこなうことができ、コストダウンを図りながら組立性を向上させることができるのである。
【００１９】
更に、スラスト方向の移動を阻止する移動阻止用リブ５と、回転止めリブ４を挟持するケーシング７，８に対する誘い込み用リブ６，６を形成していることから、移動阻止用リブ５をケーシング７，８にて保持することで、スラスト方向の移動を阻止することができ、管体を使用する軸受３のスラスト方向の固定を確実におこなうことができるのである。符号３９は回転センサーであって、回転軸２の回転位置を検出して、結果として施療子１の位置を検出するものである。本発明においては、軸受３によって回転軸２をがたつきなく保持することができることから、回転センサー３９による施療子１の回転位置の検出を所定通りにおこなうことができる。
【００２０】
【発明の効果】
請求項１においては、施療子に回転軸の回転に基いてもみ動作をおこなわせるマッサージ機において、回転軸を支持する軸受は管体にて形成され、軸受には、直径方向の一側方に角型の回転止めリブが延出され、回転止めリブの基端部に挟持用段部が形成され、更に、軸受には、スラスト方向に移動阻止用リブが形成され、移動阻止用リブにスリットが形成され、モータを備えているモータ側のケーシングに軸受の外面に当接又は近接する係合孔を形成した保持脚が形成され、保持脚の先端に連結片が延出され、本体側のケーシングに軸受の外面に当接又は近接する係止孔を形成した保持片が形成され、保持片に連結片及び係止片が形成され、連結片同士が連結され、係止片がスリットに係入され、連結片と保持片を起立させている受片との間に回転止めリブが挟持されて両ケーシングの間に軸受を保持しているから、ケーシングにて軸受を挟持するときに、本体側のケーシングの保持片の係止片が移動阻止用リブのスリットに挿入されて軸受のスラスト方向の移動を阻止することができ、モータ側のケーシングの保持脚の連結片と、本体側のケーシングの保持片を起立させている受片との間に回転止めリブが挟持されて軸受の回転止めをおこなうことができるのであり、スラスト方向の固定及び回転止めを確実におこなうことができるという利点がある。
【図面の簡単な説明】
【図１】本発明の実施の一形態の部分分解斜視図である。
【図２】（ａ）は同上の軸受の保持状態の側面図、（ｂ）は断面図である。
【図３】同上のマッサージ機の全体斜視図である。
【図４】同上の背部カバーを外した背面図である。
【図５】同上のマッサージ機構部の概略背面図である。
【図６】同上のマッサージ機構部の概略背面図である。
【図７】同上のケーシングを示す分解斜視図である。
【図８】同上の機構部を示す概略側面図である。
【符号の説明】
１  施療子
２  回転軸
３  軸受
４  回転止めリブ
５  移動阻止用リブ
６  誘い込み用リブ
７  ケーシング
８  ケーシング
【図１】
0003890836.tif 000002
【図２】
0003890836.tif 000003
【図３】
0003890836.tif 000004
【図４】
0003890836.tif 000005
【図５】
0003890836.tif 000006
【図６】
0003890836.tif 000007
【図７】
0003890836.tif 000008
【図８】
0003890836.tif 000009